(57)【要約】【課題】  流路の断面積の減少に伴う流速の増加を抑え、騒音低減を図った電気掃除機を提供する。【解決手段】  塵埃を吸込むための吸込口を有し、その内部に、モータにより回転駆動する回転清掃体が配置された吸口本体と、該吸口本体に接続された自在継手部を有し、該自在継手部は一端側が前記吸口本体に対して上下方向に回動可能に接続されるケーシングと、一端側が前記ケーシングの他端側に回動可能に接続され他端側が延長管に接続され、前記吸口本体に対して左右方向に回動可能であり、その流路の断面が略円筒状に構成された吸口継手とを備えた電気掃除機の吸口体において、前記吸口継手の略円筒状の流路の両端部上面に、前記モータを駆動するための電気を通電するリード線を配置した。【選択図】図４
2010082390.tif 000002
【特許請求の範囲】
【請求項１】
塵埃を吸込むための吸込口を有し、その内部に、モータにより回転駆動する回転清掃体が配置された吸口本体と、該吸口本体に接続された自在継手部を有し、該自在継手部は一端側が前記吸口本体に対して上下方向に回動可能に接続されるケーシングと、一端側が前記ケーシングの他端側に回動可能に接続され他端側が延長管に接続され、前記吸口本体に対して左右方向に回動可能であり、その流路の断面が略円筒状に構成された吸口継手とを備えた電気掃除機の吸口体において、
前記吸口継手の略円筒状の流路の両端部上面に、前記モータを駆動するための電気を通電するリード線を配置したことを特徴とする電気掃除機の吸口体。
【請求項２】
請求項１において、
前記吸口継手の流路の上面に、隆起部形状の突起を設けたことを特徴とする電気掃除機の吸口体。
【請求項３】
塵埃を吸込むための吸込口を有し、該吸口本体に接続された自在継手部を有し、該自在継手部は一端側が前記吸口本体に対して上下方向に回動可能に接続されるケーシングと、一端側が前記ケーシングの他端側に回動可能に接続され、他端側が延長管に接続され、前記吸口本体に対して左右方向に回動可能であり、その流路が略円筒状に構成されることを特徴とする吸口継手とを備えた電気掃除機の吸口体において、
前記吸口継手の前記ケーシングと接続される箇所の流路の断面形状が、前記吸口継手の長手方向へ長くしたことを特徴とした電気掃除機の吸口体。
【請求項４】
請求項１〜３の何れかに記載の吸口体を用いた電気掃除機。
【発明の詳細な説明】
【技術分野】
【０００１】
本発明は電気掃除機の吸口体に関するもの、及びこの吸口体を用いた電気掃除機に関する。
【背景技術】
【０００２】
従来の電気掃除機の使用されている吸口体は、図５〜図８に示すように、ごみを吸込むための吸込口２０２を有する吸口本体２１０と、吸口本体２１０の後方に上下方向に回動可能に接続されたケーシング２０４と、このケーシング２０４に接続され周方向（左右方向）に回動可能に接続された吸口継手２０３とを有する接続管を配接し、手元操作部のひねり動作により吸口本体２１０が左右にそれぞれ９０°回転するように構成し、使い勝手を向上させている（特許文献１）。
【０００３】
しかし、上記回動を可能とすると、吸口継手２０３は継手内に曲がり部ができ、騒音の原因となる。そのため、特許文献２ではその流路の中央に、隆起部１１６を設け、空気の流れの剥離を防ぎ、騒音の低減を図っている。
【０００４】
吸口本体２１０の内部に、モータ２０６により回転可能な回転清掃体２０９が配置されているものにおいては、図５，図６，図７，図８に示すように吸口継手中央に空気の剥離を防ぐ隆起部１１７を設けると共に、その上部に肉盗みを施し凹部２０８を設け、モータ２０６へ電気を通電するための、リード線２０７を配置する空間を確保している。
【０００５】
【特許文献１】特開２０００−７０１９２号公報
【特許文献２】特開２００１−２５４５０号公報
【発明の開示】
【発明が解決しようとする課題】
【０００６】
上記記載の背景技術において、吸口継手２０３の流路に設けた隆起部１１７は、その上部の凹部２０８にリード線２０７を通す必要があるため、必要以上に大きくなり、最適化が困難である。そのため、吸口継手２０３の流路の断面積が減り、吸口継手２０３内を流れる空気の流速が増すことで、風切り音が大きくなり、騒音が発生していた。
【０００７】
本発明の目的は、上記課題を解決し、流路の断面積の減少に伴う流速の増加を抑え、騒音低減を図った電気掃除機を提供することにある。
【０００８】
また、本発明の目的は、更なる騒音の低下を狙い、流れの剥離のための隆起部の大きさの最適化や、流路形状の最適化を行い、騒音を低減させた電気掃除機を提供することにある。
【課題を解決するための手段】
【０００９】
上記目的を達成するために本発明の特徴とするところは、塵埃を吸込むための吸込口を有し、その内部に、モータにより回転駆動する回転清掃体が配置された吸口本体と、該吸口本体に接続された自在継手部を有し、該自在継手部は一端側が前記吸口本体に対して上下方向に回動可能に接続されるケーシングと、一端側がケーシングの他端側に回動可能に接続され、他端側が延長管に接続され、吸口本体に対して左右方向に回動可能であり、その流路が略円筒状に構成されることを特徴とする吸口継手とを備えた電気掃除機の吸口体において、吸口継手の略円筒状の流路の端部上面に、前記モータを駆動するための電気を通電するリード線を配置したことにある。
【００１０】
また、本発明の特徴とするところは、吸口継手の流路の上面に、隆起部形状の突起を設けたことにある。
【００１１】
また、本発明の特徴とするところは、吸口継手のケーシングと接続される箇所の流路の断面形状が、前記吸口継手の長手方向へ長くしたことを特徴としたことにある。
【発明の効果】
【００１２】
本発明によれば、流路の断面積の減少に伴う流速の増加を抑え、騒音低減を図った電気掃除機を提供することができる。
【発明を実施するための最良の形態】
【００１３】
以下、本発明に係る実施形態の一例を添付の図面に基づいて説明する。
【００１４】
図９は本発明に係る実施形態の一例に係わる電気掃除機の全体外観図である。図９において、３０４は集塵室及び、電動送風機を収容する掃除機本体、３０５は掃除機本体３０４の前部に接続され集塵室と連通するホース継手、３０３は一端側がホース継手３０５に回動可能に接続されたホース、３０６は一端側がホース３０３の他端側と回動可能に接続され、掃除機の運転の入切を行うスイッチ手段を有する手元操作部、３０２は一端側が手元操作部３０６の他端側と接続された伸縮可能な延長管、２０５は延長管３０２の他端側に接続され、吸口本体２１０から吸込んだ塵埃を含んだ空気流が延長管３０２へ導かれるように連通する自在継手部、２０１は自在継手部２０５を含む吸口体である。
【００１５】
自在継手部２０５は吸口体２０１を中心にして、手元操作部３０６の高低方向Ｙと、左右方向Ｘに回動可能に連結すると共に、手元操作部３０６のひねり動作の回転Ｐ１をそのまま吸口体２０１の回転Ｐ２に伝達する機構を備えている。
【００１６】
図１０，図１１は本発明に係る実施形態の一例に係わる電気掃除機の吸口体２０１の分解図及び、断面図である。吸口体２０１は吸口前側部に形成した左右（幅）方向に長い横長のブラシ室４０１に回転自在に収容した回転清掃体２０９を設けている。また、吸口体２０１の中央にはモータ２０６が配置され、モータ２０６の回転力は、中間プーリ４０２と二つのタイミングベルト４０３を介し、回転清掃体２０９へと伝わる。
【００１７】
吸口体２０１の後方には自在継手部２０５が吸口本体２１０に回動自在に取り付けられ、自在継手部２０５は高低方向Ｙの回転を可能にするケーシング２０４と、左右方向Ｘの回転を可能にするように取り付けられる吸口継手２０３とから構成されている。
【００１８】
次に図１，図２，図３，図４に本実施形態の一例に係わる自在継手部２０５を示す。図１２に本実施形態の一例に係わるケーシングカバー１０８の構造を示す。図１３〜図１６に本実施形態の一例に係わる吸口継手２０３の構造を示す。図１７に本実施形態の一例に係わるケーシング２０４の構造を示す。図１５に本実施形態の一例に係わる継手カバーＵ１０１の構造を示す。
【００１９】
自在継手部２０５はケーシング２０４と吸口継手２０３及び、継手カバーＵ１０１，継手カバーＬ１０２，継手固定部材１０３，ケーシングカバー１０８より構成されている。ケーシング２０４にはケーシングフランジ部１０４とケーシング筒部１０５，固定凸部１１１が形成され、吸口継手２０３には継手フランジ部１０６と継手筒部１０７が形成され、その下方には金型での成型時に図１５のＵ部に大きなＲを取れるように穴１１２を開けている。
【００２０】
ケーシングカバー１０８には略コの字型の継手固定部１０９と固定凸部１１０が形成されている。継手カバーＵ１０１には、継手カバーＵフランジ部１１３，継手カバー筒部１１８が形成されている。
【００２１】
そして、ケーシング２０４のケーシング筒部１０５に吸口継手２０３の継手筒部１０７及び、継手カバーＵ１０１の継手カバー筒部１１８を挿入し、ケーシング２０４のケーシングフランジ部１０４と吸口継手２０３の継手フランジ部１０６及び、継手カバーＵフランジ部１１３をケーシングカバー１０８の継手固定部１０９に挿入し、また、継手固定部材をケーシング下面にはめながら図２のＥ方向へケーシングカバー１０８を移動させ、固定凸部１１０と固定凸部１１１を噛合わせはめ込む。
【００２２】
これにより、ケーシング２０４と吸口継手２０３及び、継手カバーＵ１０１が図１のＦ及びＧ方向について固定され、Ｈ軸周りに回動可能に配置され、また、ケーシングカバー１０８がケーシング２０４に対し、固定される。
【００２３】
このような構成とすることで、ケーシング筒部１０５，継手筒部１０７により、良好な回動性を保持すると共に、ケーシングフランジ部１０４と継手フランジ部１０６のほぼ全周をケーシングカバー１０８と継手固定部材１０３で、挟みこんでいるので、高強度を確保することができる。
【００２４】
また、吸口継手２０３上面ではモータ２０６へ通電するための、リード線２０７が吸口継手２０３の両端部へ配置されており、継手カバーＵ１０１と、吸口継手２０３にて、挟み込むことでリード線２０７が吸口継手２０３から外れることの無いようにしている。
【００２５】
このようにリード線を配置することで、デッドスペースを有効活用でき、流路に影響を与えることなく、リード線を配置することができる。
【００２６】
また、継手筒部１０７の上方に形成したリブ１００２に嵌合して、係止手段となるストッパー１００１が配置されている。このストッパー１００１は上部を継手カバーＵ１０１で覆われており、継手カバーＵ１０１とリブ１００２により、その動作が吸口継手２０３の長さ方向のみに制限される。
【００２７】
ストッパー１００１の内部には弾性を有するばね１００３を内蔵しており、ストッパー１００１の先端をケーシングカバー１０８のケーシングカバー凹部１１４へ押圧するように付勢している。
【００２８】
本実施形態の吸口継手２０３は吸口本体２１０の進行方向に対して左右方向に回動自在に配設されているため、吸口体２０１を操作しているときに左右方向にふらつく現象が生じる。このため、本実施例では、ストッパー１００１をケーシングカバー凹部１１４に嵌合させることにより、進行方向における直進安定性を確保するようにしている。
【００２９】
なお、手元操作部３０６を左右方向へひねった場合には、図１０に示すようにストッパー１００１がケーシングカバー凹部１１４を乗り越えて、手元操作部の操作に応じて吸口体２０１が左右方向に回転する。
【００３０】
次に気流の流れについて説明する。吸込口２０２より流入した空気は、吸口中央付近では、回転清掃体２０９と下ケース４０４の間を通り、吸込通路４０５で拡大し、ケーシング２０４と吸口継手２０３の曲がり部を通り延長管へ導かれる。
【００３１】
ここで、ケーシング２０４の先端には舌部１１５が形成されており、空気の流れの方向を徐々に変化させると共に、吸口継手２０３の先端部へ隆起部１１６を設けることにより、空気の流れの剥離を防ぎ、騒音の低減を図っている。
【００３２】
また空気の流れが舌部１１５から、吸口継手２０３へ移行する箇所においても、空気の流れの剥離を防ぐ為に、隆起部１１７を設けている。
【００３３】
隆起部（２）１１７の形状は大きすぎると、流路の断面積が減ることにより、空気の流れの流速が増し、風きり音が大きくなるため、騒音の原因となる。一方、隆起部（２）１１７の形状が小さすぎると、流れが剥離してしまい騒音の原因となる。
【００３４】
ここで、背景技術で説明した従来の自在継手部２０５では、隆起部１１７の上部の凹部２０８へリード線２０７が配置されるため、隆起部１１７の大きさ・形状がリード線２０７の太さ等により、決ってしまい、自由度が少なかった。
【００３５】
そこで、本実施例では、図４に示すように吸口継手２０３の断面形状において、リード線２０７を吸口継手２０３の略円筒状の流路の両端部上面に配置することで、隆起部の大きさ・形状がリード線２０７の影響を受けない為、大きさ・形状の自由度を上げることが可能となっている。
【００３６】
本実施例においては、隆起部１１７の大きさ・形状を、空気の流れの剥離の起こらない最低限の高さにすると共に、側面及び上面から見た際に、延長管側へ行くに従い、隆起部１１７の高さを徐々に低くする略三角形状とすることで、最適化を行った。
【００３７】
更に、継手筒部１０７のケーシング２０４との合わせ面の断面形状を継手の長手方向へ長く（図１４での寸法関係をａ＜ｂ）することにより、最も使用状態の多い吸口体２０１の直進方向での使用時に、流路の断面積が最も大きく状態になるようにした。これにより、空気の流れの流速を下げることができ、風切り音・流れの剥離共に起こり難くなるため、騒音が低下する。
【００３８】
これまでの実施形態を全て盛り込んだ場合、つまり、リード線２０７を吸口継手２０３の上面端部に配置し、隆起部１１７の大きさ・形状を最適化し、更に、継手筒部１０７のケーシングとのあわせ面の断面形状を継手の長手方向へ長くし、騒音を測定すると約４.５ｄＢの騒音の低減効果が得られた。従って、掃除時に静かな運転音となり実用価値の高い吸口体２０１が得られた。
【００３９】
なお、本実施形態の隆起部１１７の大きさ・形状及び、吸口継手２０３のケーシング２０４との合わせ面の断面形状（継手の長手方向へ長い形状）は、リード線２０７が不要なタイプの吸口の騒音の低減にも効果的である。
【００４０】
以上説明したように本実施形態によれば、略円筒形状の流路の端部上面にリード線を通すことで、デッドスペースを有効活用でき、流路に影響を与えることなく、リード線を配置することができる。そのため、リード線を通す箇所においても流路の断面積を大きく取ることができる。その結果、流路内を流れる空気の流速を低くでき、風切り音を小さくすることが可能となる。これにより、騒音を減した電気掃除機を提供することが出来る。
【００４１】
また、吸口継手の曲がり部へ、適切な大きさ・形状の隆起部を設けることで、流れの剥離を防ぐことができる。その結果、騒音を低減した電気掃除機を提供することが出来る。
【００４２】
また、吸口継手のケーシングと接続される箇所の流路の断面形状が、吸口継手の長手方向へ長くすることで、吸口継手の曲がり部での流速を下げることができる。その結果、騒音を低減した電気掃除機を提供することが出来る。
【図面の簡単な説明】
【００４３】
【図１】本発明の実施形態の一例に係わる電気掃除機の自在継手部の平面図である。
【図２】本発明の実施形態の一例に係わる電気掃除機の自在継手部の断面図である。
【図３】図２のＰ拡大図である。
【図４】図２のＢ−Ｂ断面である。
【図５】従来の電気掃除機の自在継手部の平面図である。
【図６】図５のＡ−Ａ断面図である。
【図７】図６のＰ拡大図である。
【図８】図６のＢ−Ｂ断面である。
【図９】本発明の実施形態の一例に係わる電気掃除機の本体外観図である。
【図１０】本発明の実施形態の一例に係わる電気掃除機の吸口の分解図である。
【図１１】本発明の実施形態の一例に係わる電気掃除機の吸口の断面図である。
【図１２】本発明の実施形態の一例に係わる電気掃除機のケーシングカバーの構造図であり、（ａ）はケーシングカバーの斜視図、（ｂ）は（ａ）のＡ−Ａ断面図である。
【図１３】本発明の実施形態の一例に係わる電気掃除機の吸口継手の斜視図である。
【図１４】本発明の実施形態の一例に係わる電気掃除機の吸口継手の平面図である。
【図１５】図１４の断面図である。
【図１６】図１５のＰ視図である（隆起部）。
【図１７】本発明の実施形態の一例に係わる電気掃除機のケーシングの構造図であり、（ａ）はケーシングの斜視図、（ｂ）は（ａ）のＡ−Ａ断面図である。
【図１８】本発明の実施形態の一例に係わる電気掃除機の継手カバーＵの斜視図である。
【図１９】本発明の実施形態の一例に係わる電気掃除機の自在継手部の平面図である（９０度回動させた状態）。
【符号の説明】
【００４４】
１０１  継手カバーＵ
１０２  継手カバーＬ
１０３  継手固定部材
１０４  ケーシングフランジ部
１０５  ケーシング筒部
１０６  継手フランジ部
１０７  継手筒部
１０８  ケーシングカバー
１０９  継手固定部
１１０，１１１  固定凸部
１１２  穴
１１３  継手カバーＵフランジ部
１１４  ケーシングカバー凹部
１１５  舌部
１１６，１１７  隆起部
１１８  継手カバー筒部
２０１  吸口体
２０２  吸込口
２０３  吸口継手
２０４  ケーシング
２０５  自在継手部
２０６  モータ
２０７  リード線
２０８  凹部
２１０  吸口本体
３０２  延長管
４０１  自在継手
４０５  吸込通路
【図１】
2010082390.tif 000003
【図２】
2010082390.tif 000004
【図３】
2010082390.tif 000005
【図４】
2010082390.tif 000006
【図５】
2010082390.tif 000007
【図６】
2010082390.tif 000008
【図７】
2010082390.tif 000009
【図８】
2010082390.tif 000010
【図９】
2010082390.tif 000011
【図１０】
2010082390.tif 000012
【図１１】
2010082390.tif 000013
【図１２】
2010082390.tif 000014
【図１３】
2010082390.tif 000015
【図１４】
2010082390.tif 000016
【図１５】
2010082390.tif 000017
【図１６】
2010082390.tif 000018
【図１７】
2010082390.tif 000019
【図１８】
2010082390.tif 000020
【図１９】
2010082390.tif 000021